(57)【要約】【課題】　材料が切断線の最終部分に沿って引き裂かれるのを阻止する。【解決手段】　予め定められた頻度で材料の連続帯４から単一の紙３を分離するように組み合わされる吸引ローラ７とブレード１４付きローラ９とを具備した装置によって、フィルタ取り付け用紙３が予め定められた供給路Ｐを進行する連続帯４から切断される。進行する帯４の張力は偏向要素３１によって周期的に変えられ、偏向要素３１は吸引ローラ７に組み合わされると共に、切断行程の周波数と一致する間隔でもって、吸引ローラ７の外表面２０の外側に位置する一位置と内側に位置する他位置との２つの限界位置の間を動くことができる。【選択図】　　　図１
2004135671.tif 000002
【特許請求の範囲】
【請求項１】
　予め定められた供給路（Ｐ）に沿って進行させられる連続帯（４）から紙材料片（３）を用意する装置、典型的には、紙片（３）を予め定められた切断頻度で帯（４）から連続的に分離する切断手段（５）であって、第１の吸引コンベヤ（６）と第１のコンベヤに対し概ね接するよう配置された第２のコンベヤ（８）とを具備した切断手段（５）と、帯（４）の張力を周期的にかつ切断手段（５）の作動と同期して変動させる張力変動手段（３０）とを含む装置（２）において、張力変動手段（３０）が第１のコンベヤ（６）に付設されると共に、第１のコンベヤ（６）の外表面（２０）に関する２つの限界位置間の、前記切断頻度と同期して発生される周期的運動を行うことができることを特徴とする装置。
【請求項２】
　第１のコンベヤ（６）が第１の吸引ローラ（７）を具備し、張力変動手段（３０）の２つの限界位置が第１の吸引ローラ（７）の外表面（２０）に関する外側位置及び内側位置として特定可能である請求項１に記載の装置。
【請求項３】
　張力変動手段（３０）が第１のコンベヤ（６）の軸線に対し平行な固定軸線（３５）回りに旋回する少なくとも一つの偏向要素（３１）を具備する請求項１及び２に記載の装置。
【請求項４】
　偏向要素（３１）の固定軸線（３５）が第１の吸引ローラ（７）の軸線と該第１の吸引ローラの外表面（２０）との間の位置を占めている請求項３に記載の装置。
【請求項５】
　第１の吸引ローラ（７）の外表面（２０）に、支持円板（１６）の周縁（１７）周りに配置された複数の片持ち式吸引扇形部（１８）であって、互いに隣接する二つの扇形部それぞれの間に間隙（２３）が形成されるように一様な角度距離でもって隣接する扇形部から離間している扇形部（１８）が設けられている請求項４に記載の装置。
【請求項６】
　第２のコンベヤ（８）が概ね半径方向に延びる複数のブレード（１４）を支持するローラ（９）を具備し、これらブレード（１４）は該ローラ（９）の周表面（１５）周りに等角度間隔で配置されると共に該周表面（１５）から突出している請求項１に記載の装置。
【請求項７】
　各吸引扇形部（１８）が対応する長手方向隅縁（２４）を備え、該隅縁（２４）は第１の吸引ローラ（７）の回転軸線に対し平行に延びると共に、第２のローラ（９）の対応するブレード（１４）と組み合わされて連続帯（４）を鋏み切断する装置を形成する請求項５及び請求項６に記載の装置。
【請求項８】
　固定回転軸線（３５）上に心出しされた軸（３４）であって、吸引扇形部（１８）を担持する円板（１６）とは反対側の吸引ローラ（７）の側に位置するフランジ（３３）を該軸（３４）の自由端が担持している軸（３４）を具備し、該フランジ（３３）が柱状棒（３１）からなる複数の偏向要素（３１）を担持し、これら柱状棒（３１）は固定軸線（３５）に対し平行に配設され、円板（１６）に向けて突出し、第１のローラ（７）の回転時に軸（３４）が固定軸線（３５）回りを回転すると互いに隣接する扇形部（１８）同士の間の間隙（２３）を周期的に通過するように構成されている請求項５に記載の装置。
【請求項９】
　フランジ（３３）が概ね三角形状をなし、各稜点において１本の柱状棒（３１）を担持する請求項８に記載の装置。
【請求項１０】
　フランジ（３３）を担持する軸（３４）が第１のローラ（７）の円板（１６）を担持する軸（１１）によって回転駆動される請求項１から９に記載の装置。
【発明の詳細な説明】
【技術分野】
【０００１】
　本発明は紙材料片を用意する装置に関する。
【０００２】
　本発明は巻タバコ製造機械、特にロールから繰り出される連続帯から単一のフィルタ取り付け用紙を切り取るフィルタ取り付け装置に適用されると有利である。包括的な権利範囲に限定を加える意図はないが、以下の説明では積極的にこの技術分野に言及する。
【背景技術】
【０００３】
　フィルタないし吸い口付き巻タバコは一般に、軸線方向に整列された２本の巻タバコ棒状体の間に２本分の長さのフィルタ栓を介在させ、次いで予め糊付けされたフィルタ取り付け用紙を貼り付けることによってフィルタの両端に棒状体を結合し、最後に２本分の組立体を半分に切断して２本のフィルタ付き巻タバコ単体を形成することによって、製造される。
【０００４】
　従来の方法を使用した場合、フィルタ取り付け用紙は紙材料の連続帯から得られ、この帯は帯の一面に接着剤を塗布する糊付け装置を通り次いで帯を予め定められた長さの単一紙片に分断する切断装置へ予め定められた供給路に沿って前進せしめられる。
【０００５】
　この切断装置は帯の前進方向に関し糊付け装置の下流側で作動すると共に、互いに平行な軸線回りに接線方向に互いに逆向きに回転する二つのローラを具備し、一方のローラは帯を前方に引き込む吸引表面を備え、各ローラはその周面に均一ピッチで傾斜して配置されたそれぞれのブレードを備えている。
【０００６】
　二つのローラのうちの一方が備えている各ブレードは、典型的には他方のローラの対応するブレードと相互作用して帯を横断線に沿い切断しいわゆる鋏み切断を行うようにするのが一般的である。従って、一方のローラの各ブレードは他方のローラのブレードと組合わさって鋏み装置を構成し、この鋏み装置は両ローラが回転駆動されたときに帯を横切って２点間剪断をすることにより連続フィルタ取り付け用紙を分離するよう構成されている。
【０００７】
　切断後、２本分の長さのフィルタ栓と２本の巻タバコ棒状体とからなる前述の組立体にそれぞれが提供される部署に連続して移送されるのに先立って、フィルタ取り付け用紙は二つのローラの一方の、より正しく言えば吸引表面付きローラないし吸引ローラの、表面に保持される。
【０００８】
　組立体の結合作用が正しく行われるように、帯から切断されたフィルタ取り付け用紙は隣接するフィルタ取り付け用紙から適切に離間されなければならず、これは進行する帯の線速度よりも大きい周速度で吸引ローラを回転させることによって実現される。
【０００９】
　一枚の紙が直ちに分離せず、予め決められた時間間隔だけ経過すると初めて分離するように鋏み切断が徐々に行われるので、吸引ローラの周速度と前進する帯の線速度とを異ならせると、紙が帯からきれいに離れるのが阻止される。吸引ローラによって作用される引っ張り力の結果、実際、前進する帯が引き作用を受け、これにより、鋏み切断作用が最終段階に達して帯の非切断部分に作用する張力が過大になるにつれて、材料の狭くなっていく部分が徐々に持ちこたえられなくなり、フィルタ取り付け用紙はきれいに切断される前に引き裂かれて分離する。従って、最終的に分離する箇所では切断線に不規則性が生じて破損するので、このようにして離れた紙は使用することができない。
【００１０】
　このような欠点を克服するために、従来の方法は糊付け装置と切断装置との間に周期的に作動される偏向装置を挿入する方策を有し、これによって切断装置の行程周波数に調和する間隔で帯の張力が変動される。更に正確に言えば、偏向装置は切断行程の間に帯の張力を緩和するよう機能する。
【００１１】
　いっそう高まる生産速度に順応するよう帯の供給速度を更に高めると、紙材料帯の固有弾性特性と、偏向装置と切断装置間を延びる帯部分にこの偏向装置により発生される振動とによって、張力緩和工程及び切断工程がスキップするおそれがあり、材料が切断線の最終部分に沿って引き裂かれる危険性がある。
【発明の開示】
【００１２】
　本発明の目的は前述の欠点によって悪影響を受けないような、紙材料片を用意する装置を提供することである。
【００１３】
　上述の目的は本発明によれば、予め定められた供給路に沿って進行させられる連続帯から紙材料片を用意する装置、典型的には、紙片を予め定められた切断頻度で帯から連続的に分離する切断手段であって、第１の吸引コンベヤと第１のコンベヤに対し概ね接するよう配置された第２のコンベヤとを具備した切断手段と、帯の張力を周期的にかつ切断手段の作動と同期して変動させる張力変動手段とを含む装置において、張力変動手段が第１のコンベヤに付設されると共に、第１のコンベヤの外表面に関する２つの限界位置間の、前記切断頻度と同期して発生される周期的運動を行うことができることを特徴とする装置によって達成される。
【発明を実施するための最良の形態】
【００１４】
　添付図面を参照しながら本発明の一例を以下に詳細に説明する。
【００１５】
　添付図面の図１及び図２を参照すると、符号１は巻タバコ製造機、特にフィルタ取り付け装置の一部分の全体を示している。フィルタ取り付け装置１は紙材料片ないしフィルタ取り付け用紙３を用意する装置２を具備し、この紙片３は関連するバルクロール（図示しない）から繰り出され予め定められた張力及び線速度でもって予め定められた供給路Ｐを符号Ｄで示される方向に進行する連続帯４から得られる。
【００１６】
　図１に示されるように、装置２は切断手段５を具備し、この切断手段５は吸引ローラ７内に設けられた第１のコンベヤ６と、第２のローラ９内に設けられた第２のコンベヤ８とからなり、第２のローラ９は帯４が単一紙片３に分断される部署１０において第１のコンベア６に対して概ね接線方向に回転する。
【００１７】
　ローラ７、９は水平で相互に平行なそれぞれ対応する軸１１、１２上に取り付けられており、これら軸１１、１２は巻タバコ製造機の一部分１が備えているフレーム１３内に担持されると共に、相互に逆方向即ち図１に示されるように時計方向と反時計方向とにそれぞれ回転可能になっている。
【００１８】
　第２のローラ９はその周表面１５周りに等間隔で配置され周表面１５から突出する略放射状の複数のブレード１４を担持し、これに対し吸引ローラ７は対応する軸１１上にキー止めされた円板１６を具備し、この円板１６の周縁１７には複数の片持式吸引扇形部１８が設けられている。扇形部１８は円板の周囲周りに等角度間隔で配置されると共にローラ７の回転軸線に対し平行に延びており、それにより、これらの同じ扇形部１８のそれぞれの外表面１９が組合わされて、供給路Ｐを進む帯９の線速度よりも大きい周速度で回転するように設定される筒状外表面２０が形成されるようになっている。各扇形部１８の外表面１９には、軸１１に対し平行に延びるダクト２２を用いた通常の方法でもって、図示されない負圧源に接続される複数の孔２１が設けられている。更に、各扇形部１８が隣接する扇形部１８から離間しその結果ローラ７の外表面２０に複数の間隙２３が形成されるように、円板１６の周縁１７周りにおいて扇形部１８が位置決めされる。
【００１９】
　各扇形部１８の外表面１９には、第１のローラ７の軸線に対し平行に延びかつ回転方向に関し後端側に長手方向隅縁２４が設けられ、隅縁２４はローラ７、９の回転時に第２のローラ９の対応するブレード１４が関連する間隙２３を貫通するとこのブレード１４と組み合わされ、切断部署１０を通過するときに連続帯４を横方向に裁断して単一紙片３を形成する鋏み装置を形成する。
【００２０】
　更に図１において、フィルタ取り付け装置は、前述の軸１１、１２に対し平行な軸２６上に時計方向に回転可能に取り付けられたローラ２５をも具備し、ローラ２５の外周には２本分の長さのフィルタ栓によって互いに離間された２本の巻タバコ棒状組立体２８を収容するよう機能する複数の溝２７が設けられ、これら組立体２８は通常の方法で吸引保持される。これら組立体２８はそれら自体の軸線を横切るようにローラ２５上を移送部署２９を介し進行させられ、この移送部署２９では、連続する組立体２８のそれぞれの外表面上にフィルタ取り付け用紙３が吸引ローラ７により供給され、するとただちにフィルタと巻タバコ棒状体とが結合される。
【００２１】
　添付図面の例において、装置１は吸引ローラ７に付設されて連続帯４の張力を変えるための手段３０を更に有する。このような手段３０はローラ７の軸１１に対し平行に延びる３本の柱ないし筒状棒３１からなる偏向要素を具備する。各棒３１はその一端においてフランジ３３のアームのうち対応する一つのアーム３２により支持されており、これらフランジ３３は１２０度の等角度間隔で配置された３本のこのようなアーム３２を備えている。
【００２２】
　フランジ３３はその位置が固定されている対応する軸線３５回りに回転可能な軸３４の突出端に取り付けられ、この軸３４は２つのローラ軸１１、１２に対し平行に延びると共に、ローラ７の両側のうち、吸引扇形部１８を支持する円板１６が占める側と反対側に設けられたフランジ３３から棒３１が延びるように、フレーム１３に対面する仕切壁３６に軸３４が担持される。
【００２３】
　換言すると、吸引扇形部１８及び柱状棒３１はそれらの支持要素、即ち進行する帯４が辿る供給路Ｐの両側において互いに反対側の位置を占める円板１６及びフランジ３３によって、それぞれ片持ち支持される。
【００２４】
　柱状棒３１はそれらの自由端が円板のすぐ隣りに位置しか従って軸線３５回りに旋回可能であるような距離だけ円板１６に向けて延びており、この軸線３５は吸引ローラ７を担持する軸１１の軸線とこの吸引ローラ７の外表面２０との間の固定位置を占めている。特に図１からわかるように、軸３４は歯車３７、３８、３９の列を介し吸引ローラ７の軸１１に接続され、それにより、３本の柱状棒３１が前述の隙間２３を通過して吸引ローラ７の表面２０の半径方向手前側の第１の限界位置と、この表面２０を半径方向に越えた第２の限界位置との間を、周期的にかつ切断手段５と同じ周波数ないし頻度でもって切り替わることができるようになっている。ここで、歯車３７、３８、３９の列は吸引ローラ７の回転と張力変更手段３０の回転との間のタイミングを調節する手段としても機能する。
【００２５】
　運転中、連続帯４は糊付け部署４０及び案内ローラ４１を通過して供給路Ｐに沿いつつ予め定められた線速度で進行し、最終的に吸引ローラ７の外表面２０に達し、この吸引ローラ７は切断部署１０で分離された紙片３同士を相互に離間すべく、進行する帯４の線速度よりも大きい周速度で回転されている。この速度差によって、切断部署１０よりも上流側に位置する帯４が扇形部１８の外表面上で滑ることになり、しかしながら帯４はこの滑りに抗して吸引によって保持される。
【００２６】
　図１及び図３から次のことがわかる。即ち、紙片３が切断された後、帯４が次の紙片３の長さに対応する距離だけ進行すると、対応する軸３４が吸引ローラ７に同期して回転するときに固定軸線３５回りを軌道運動する張力変更手段３０の棒３１のうちの一つが間隙２３を通過し、図３に示されるように吸引ローラ７の表面２０を半径方向に越えた第２の限界位置を取る。この形態において、帯４には棒３１が係合して帯４が供給路Ｐから偏向され、その結果供給路の長さが効果的に増大され、帯４のループないし巻き付き部が棒３１周りに形成される。
【００２７】
　図４から図６に順番に示されるように、吸引ローラ７がその軸１１上を回転し続け棒３１が軸線３５回りに旋回し続けると、棒３１はローラ７の表面２０の向こう側の第２の限界位置からこの表面２０の後側の第１の限界位置へ戻る。この工程の間、棒３１上に初めに形成されていたループが徐々に吸引扇形部１８の表面１９上に引き取られるので、表面１９に対する帯４の滑り運動は実際上除去され、ブレード１４が対応する扇形部１８の縁２４と組み合わされて帯を横切る裁断作用を行うという、次の紙片３を用意する作用が紙材料を引き裂くことなく完了される。
【００２８】
　次いで、次の柱状棒３１が次の対応する間隙２３を通過して新しいサイクルが開始され、切断されるべき次の紙片３の用意をする準備を整えて帯４が偏向される。
【図面の簡単な説明】
【００２９】
【図１】本発明により実現される、紙材料片を用意する装置を備えたフィルタ取り付け装置の一部分の概略正面立面図である。
【図２】図１に示される装置の拡大詳細斜視図である。
【図３】図１の装置の詳細を操作工程の順に示す図である。
【図４】図１の装置の詳細を操作工程の順に示す図である。
【図５】図１の装置の詳細を操作工程の順に示す図である。
【図６】図１の装置の詳細を操作工程の順に示す図である。
【符号の説明】
【００３０】
２…装置
３…紙片
４…帯
５…切断手段
６…コンベヤ
７…吸引ローラ
８…コンベヤ
９…ローラ
１４…ブレード
１５…周表面
１６…円板
１７…周縁
１８…扇形部
２０…外表面
２３…間隙
２４…隅縁
３０…手段
３１…棒
３３…フランジ
３４…軸
３５…固定軸線
【図１】
2004135671.tif 000003
【図２】
2004135671.tif 000004
【図３】
2004135671.tif 000005
【図４】
2004135671.tif 000006
【図５】
2004135671.tif 000007
【図６】
2004135671.tif 000008